(57)【特許請求の範囲】
【請求項１】
線に沿って配設される複数の電気的接続要素であって、それぞれが、対向する第１および第２の縁部を備えるベース部分と、前記第１の縁部の対向する端部上にそれぞれ形成される２つの接続部分と、前記第１の縁部の前記対向する端部の間の位置から延在するアーム部分であって、上向きに及び前記第２の縁部から前記第１の縁部への方向に沿って延在し、接触面を上に向けた接触部を備える、アーム部分と、を備える、複数の電気的接続要素と、
取り外し可能な構成要素であって、
本体部分と、該本体部分から延在する複数の平行なフィンガ部分と、を備え、各フィンガ部分が、切断可能に構成される接続部において、前記電気的接続要素の各隣接するものの前記接続部分のうちの１つに接続する、コーム要素と、
それぞれが該コーム要素の前記フィンガ部分のうち２つの最外のものの端部分から、前記第２の縁部から前記第１の縁部への方向に沿って延在する、２つの支持要素であって、前記コーム要素の前記本体部分が、前記２つの支持要素の上にある、支持要素と、を備える、取り外し可能な構成要素と、を備える、少なくとも１つの電気的接続部材を備え、
前記電気的接続要素の前記ベース部分が、平面上に延在し、前記支持要素は、前記平面に隣接して延在する、電気的接続装置。
【請求項２】
前記２つの支持要素を接続してフレーム部分を形成する、プレート部材をさらに備える、請求項１に記載の電気的接続装置。
【請求項３】
２つの電気的接続部材を備え、該２つの電気的接続部材の前記プレート部材が、接続されている、請求項２に記載の電気的接続装置。
【請求項４】
第１および第２の電気的接続部材を備え、前記第１の電気的接続部材の各支持要素が、前記第２の電気的接続部材の前記支持要素の対応するものと接続する、請求項１に記載の電気的接続装置。
【請求項５】
前記接続部は、Ｖ字形の溝を備える、請求項１に記載の電気的接続装置。
【請求項６】
前記ベース部分は、はんだ付け表面として構成される底面を備える、請求項１〜５のいずれか１項に記載の電気的接続装置。
【請求項７】
前記ベース部分は、湾曲したはんだ付け部を備える、請求項１〜５のいずれか１項に記載の電気的接続装置。
【請求項８】
線に沿って配設される複数の電気的接続要素であって、それぞれが、対向する第１および第２の縁部を備えるベース部分と、上向きに湾曲し、それぞれ前記第１の縁部の対向する端部に隣接して延在する２つの延在部分と、前記２つの延在部分の端部上にそれぞれ形成される２つの接続部分と、前記第１の縁部の前記対向する端部の間の位置から延在するアーム部分であって、上向きに及び前記第２の縁部から前記第１の縁部への方向に沿って延在し、接触面を上に向けた接触部を備える、アーム部分と、を備える、複数の電気的接続要素と、
取り外し可能な構成要素であって、
本体部分と、該本体部分から延在する複数の平行なフィンガ部分と、を備え、各フィンガ部分が、切断可能に構成される接続部において、前記電気的接続要素の各隣接するものの前記接続部分のうちの１つに接続する、コーム要素と、
それぞれが該コーム要素の前記フィンガ部分のうち２つの最外のものの端部分から、前記第２の縁部から前記第１の縁部への方向に沿って延在する、２つの支持要素であって、前記コーム要素の前記本体部分が、前記２つの支持要素の下にある、支持要素と、を備える、取り外し可能な構成要素と、を備える、少なくとも１つの電気的接続部材を備え、
前記電気的接続要素の前記ベース部分が、平面上に延在し、前記支持要素は、前記平面に隣接して延在する、電気的接続装置。
【請求項９】
前記２つの支持要素を接続してフレーム部分を形成する、プレート部材をさらに備える、請求項８に記載の電気的接続装置。
【請求項１０】
２つの電気的接続部材を備え、該２つの電気的接続部材の前記プレート部材が、接続されている、請求項９に記載の電気的接続装置。
【請求項１１】
第１および第２の電気的接続部材を備え、前記第１の電気的接続部材の各支持要素が、前記第２の電気的接続部材の前記支持要素の対応するものに接続する、請求項８に記載の電気的接続装置。
【請求項１２】
前記接続部は、Ｖ字形の溝を備える、請求項８に記載の電気的接続装置。
【請求項１３】
前記延在部分は、Ｌ字形のアーム部を備えるように構成される、請求項８に記載の電気的接続装置。
【請求項１４】
前記ベース部分は、はんだ付け表面として構成される上面を備える、請求項８〜１３のいずれか１項に記載の電気的接続装置。
【請求項１５】
前記ベース部分は、湾曲したはんだ付け部分を備える、請求項８〜１３のいずれか１項に記載の電気的接続装置。
【発明の詳細な説明】
【技術分野】
【０００１】
本発明は、電気的接続装置に関する。
【背景技術】
【０００２】
電気的コネクタの寸法を縮小するために、端子を保持するための絶縁体を有しない、一種類の電気的コネクタが開発されており、その例が、図１に示される。台湾実用新案第Ｍ３９０５６０号に開示され、図１に示される電気的コネクタ１において、複数の端子１３が、金属シェル１１に受容可能なプリント回路基板１２上に配列される。複数の端子１３は、絶縁ハウジングを使用せずに、直接プリント回路基板１２にはんだ付けされており、それは、絶縁ハウジングを収容するための空間を必要とせず、したがって、電気的コネクタ１の高さを縮小する為である。
【０００３】
プリント回路基板１２は、２列のはんだパッド１４を有し、複数の端子１３がそれぞれはんだパッド１４上にはんだ付けされる。従来的に、端子１３は、ピックアンドプレース（ｐｉｃｋ  ａｎｄ  ｐｌａｃｅ）操作によって、対応するはんだパッド１４に順次はんだ付けすることができる。しかしながら、このような組み立てプロセスは、特に、はんだ付けされる端子１３が多数ある場合には時間がかかる。
【０００４】
さらに、電子装置の寸法の継続的な縮小に伴い、端子１３は、ますます小さくなっている。より小さな端子１３は、ピックアンドプレースを行うことがより困難であり、このような種類の電気的コネクタの製造に、新たな問題をもたらす。
【発明の概要】
【発明が解決しようとする課題】
【０００５】
１つの目的は、同時に設置することが可能な複数の電気的接続要素を備える電気的接続装置を提供することである。
【０００６】
もう１つの目的は、自立式の電気的接続装置を提供することである。
【課題を解決するための手段】
【０００７】
上述の目的に従って、一実施形態により、少なくとも１つの電気的接続部材を備えることができる電気的接続装置を提案する。電気的接続部材は、複数の電気的接続要素および取り外し可能な構成要素を備えることができる。複数の電気的接続要素は、線１０に沿って配設され、ベース部分、２つの接続部分、およびアーム部分を備えることができる。ベース部分は、対向する第１および第２の縁部を備えることができる。接続部分は、それぞれ、第１の縁部の対向する端部上に形成することができる。アーム部分は、第１の縁部の対向する端部の間の位置から延在してもよい。アーム部分は、さらに、上向きに、第２の縁部から第１の縁部への方向に沿って、延在するように構成されてもよい。アーム部分は、接触面を上に向けた接触部を備えてもよい。取り外し可能な構成要素は、コーム（ｃｏｍｂ）要素および２つの支持要素を備えることができる。コーム要素は、本体部分および本体部分から延在する複数の平行なフィンガ部分を備えてもよい。各フィンガ部分は、切断可能に構成される接続部において、電気的接続要素の各隣接するものの接続部分のうちの１つに接続する。支持要素は、それぞれ、コーム要素のフィンガ部分のうち２つの最外のものの端部分から、第２の縁部から第１の縁部への方向に沿って、延在することができる。コーム要素の本体部分は、２つの支持要素の上にあってもよい。電気的接続要素のベース部分は、平面上に延在してもよく、支持要素は、平面に隣接して延在してもよい。
【０００８】
別の実施形態の電気的接続装置は、複数の電気的接続要素（線に沿って配設される）および取り外し可能な構成要素を備える、少なくとも１つの電気的接続部材を備えることができる。各電気的接続要素は、対向する第１および第２の縁部を備えるベース部分、上向きに湾曲し、それぞれが、第１の縁部の対向する端部に隣接して延在する、２つの延在部分、それぞれが、２つの延在部分の端部上に形成される、２つの接続部分、ならびに第１の縁部の対向する端部の間の位置から延在する、アーム部分を備える。アーム部分は、上向きに、第２の縁部から第１の縁部への方向に沿って延在し、接触面を上に向けた接触部を備えてもよい。取り外し可能な構成要素は、コーム要素および２つの支持要素を備えることができる。コーム要素は、本体部分および本体部分から延在する複数の平行なフィンガ部分を備えてもよい。各フィンガ部分は、切断可能に構成される接続部において、電気的接続要素の各隣接するものの接続部分のうちの１つに接続することができる。支持要素は、それぞれ、コーム要素のフィンガ部分のうち２つの最外のものの端部分から、第２の縁部から第１の縁部への方向に沿って、延在することができる。コーム要素の本体部分は、２つの支持要素の下にあってもよい。電気的接続要素のベース部分は、平面上に延在してもよく、支持要素は、平面に隣接して延在してもよい。
【０００９】
上述の本発明の目的、特徴、および利点をさらに理解するために、詳細な説明のために、図面を参照しながら実施形態が提供される。
【００１０】
本発明は、添付の図面に従って説明される。
【図面の簡単な説明】
【００１１】
【図１】従来的な電気的コネクタを示す。
【図２】一実施形態による、プリント回路基板上に載置された電気的接続装置を描写する、概略斜視図である。
【図３】一実施形態による、プリント回路基板およびプリント回路基板から切り離された電気的接続装置を描写する、概略斜視図である。
【図４Ａ】一実施形態による取り外し可能な構成要素を描写する、概略斜視図である。
【図４Ｂ】一実施形態による、プリント回路基板にはんだ付けされた複数の電気的接続要素を描写する、概略斜視図である。
【図５】一実施形態による電気的接続装置を示す、上面図である。
【図６】別の実施形態による、プリント回路基板上に載置可能な電気的接続装置を描写する、概略斜視図である。
【図７】別の実施形態による、プリント回路基板上に載置可能な電気的接続装置を描写する、概略斜視図である。
【図８】別の実施形態による電気的接続装置を描写する、概略斜視図である。
【図９】別の実施形態による電気的接続装置を描写する、概略斜視図である。
【図１０】一実施形態による底部載置型電気的接続装置を描写する、概略斜視図である。
【図１１】図１０の底部載置型電気的接続装置の上面図である。
【図１２】一実施形態による、プリント回路基板の底面上に設置される、底部載置型電気的接続装置を描写する、概略斜視図である。
【図１３】一実施形態による、プリント回路基板およびプリント回路基板から切り離された底部載置型電気的接続装置を描写する、概略斜視図である。
【図１４】一実施形態による、プリント回路基板に取り付けられた複数の電気的接続部材を示す、概略上面図である。
【図１５】図１４の線１−１に沿った断面図である。
【図１６】別の実施形態による、プリント回路基板上に載置可能な電気的接続装置を描写する、概略斜視図である。
【図１７】別の実施形態による、プリント回路基板上に載置可能な電気的接続装置を描写する、概略斜視図である。
【図１８】別の実施形態による電気的接続装置を描写する、概略斜視図である。
【図１９】別の実施形態による電気的接続装置を描写する、概略斜視図である。
【発明を実施するための形態】
【００１２】
以下の詳細な説明では、説明の目的で、多数の具体的な詳細を記載し、開示される実施形態の全体的な理解を提供する。しかしながら、１つ以上の実施形態が、これらの具体的な詳細なしに実施されてもよいことは明らかであろう。他の事例において、周知の構造および装置は、図面を簡略化するために、概略的に示される。
【００１３】
図２は、一実施形態による、プリント回路基板２に載置された電気的接続装置３を描写する概略斜視図である。図３は、一実施形態による、プリント回路基板２およびプリント回路基板２から切り離された電気的接続装置３を描写する概略斜視図である。図４Ａは、一実施形態による、取り外し可能な構成要素３１を描写する概略斜視図である。図４Ｂは、一実施形態による、プリント回路基板２にはんだ付けされた電気的接続要素３２を描写する概略斜視図である。図２および３を参照して、電気的接続装置３は、上部載置型電気的接続装置であってもよい。電気的接続装置３は、限定されるものではないが、それぞれが取り外し可能な構成要素３１および複数の電気的接続要素３２を備える、２つの電気的接続部材３０を備える。複数の電気的接続要素３２は、複数の電気的接続要素３２を、プリント回路基板２上に同時に設置し、次いではんだ付けすることができるように、取り外し可能な構成要素３１に接続する。その結果、電気的接続装置３をプリント回路基板２に取り付けるための組み立てプロセスは、以前の方法よりも所要時間が短く、より効率的である。
【００１４】
いくつかの実施形態において、電気的接続装置３は、少なくとも１つの電気的接続部材３０を備えることができる。
【００１５】
電気的接続要素３２は、プリント回路基板２と電気的接続にあるように意図される電子装置上に形成される、導体パッドに接触するために、限定されるものではないが、上向きであってもよい、接触面３２１１を備える、接触部３２１を有することができる。
【００１６】
本明細書において、上、下、左、右、前、および後等の方向の表示は、開示される実施形態の各部の構造および移動を説明するために使用され、絶対的であるようにではなく、むしろ相対的であるように意図されることを理解されたい。これらの表示は、開示される実施形態の各部が、図において示される位置にある際に、適している。しかしながら、開示される実施形態の参照の位置または枠組みが変化する場合は、これらの表示は、開示される実施形態の参照の位置または枠組みの変化に応じて、変化することになる。
【００１７】
図３に見られるように、各電気的接続要素３２は、本実施形態において、表面載置のはんだ接着のため、下向きのはんだ付け表面３２２４として構成される、底面を備える、ベース部分３２２を備えることができる。それに対応して、プリント回路基板２は、複数の導体パッド２１を備える。電気的接続部材３０を、プリント回路基板２上に設置した後、各電気的接続要素３２のはんだ付け表面３２２４は、対応する導体パッド２１上にあり、その上へのはんだ付けの準備ができている。いくつかの実施形態において、電気的接続要素３２のベース部分３２２の一部は、はんだ付け表面３２２４を形成するために、押し下げられてもよい。
【００１８】
電気的接続部材３０は、図２および３に示されるように、限定されるものではないが、線に沿って配設される、複数の電気的接続要素３２を備えてもよい。それに対応して、プリント回路基板２上の導体パッド２１は、一列に配設される。
【００１９】
図３および５を参照して、各電気的接続要素３２のベース部分３２２は、第１および第２の縁部３２２１および３２２２を備えることができる。各電気的接続要素３２は、２つの接続部分３２３およびアーム部分３２４をさらに備えることができる。いくつかの実施形態において、２つの接続部分３２３は、それぞれ、第１の縁部３２２１の対向する端部に形成されてもよい。アーム部分３２４は、第１の縁部３２２１の対向する端部の間の、第１の縁部３２２１上の位置から延在してもよい。アーム部分３２４は、上向きに、第２の縁部３２２２から第１の縁部３２２１への方向に沿って、延在してもよい。
【００２０】
図２、４Ａ、および４Ｂに示されるように、取り外し可能な構成要素３１は、電気的接続要素３２と接続され、容易に電気的接続要素３２から切り離されるように構成される。取り外し可能な構成要素３１は、コーム要素３１１および２つの支持要素３１２を備えることができる。コーム要素３１１は、本体部分３１１１および本体部分３１１１から延在する複数の平行なフィンガ部分３１１２を備えることができる。図３および５に示されるように、各フィンガ部分３１１２は、例えば、垂直方向に湾曲し、接続部において、各隣接する電気的接続要素３２の１つの接続部分３２３に接続する、端部分３１１２１を備えてもよい。接続部は、接続部が切断可能であるように、その強度を低減するために加工され、図４Ａおよび４Ｂに示されるように、取り外し可能な構成要素３１を電気的接続要素３２から切り離すために切断することができる。いくつかの実施形態において、接続部は、少なくとも１つの切欠部または少なくとも１つの切断部を備えてもよい。いくつかの実施形態において、接続部は、少なくとも１つのＶ字形の溝を備えてもよい。
【００２１】
電気的接続装置３は、図２に示されるように、プリント回路基板２上に設置された後、プリント回路基板２上で、自立するように構成される。２つの支持要素３１２は、限定されるものではないが、電気的接続装置３の２つの対向する側面上に配置される。支持要素３１２は、一般的に、電気的接続装置３が、プリント回路基板２上に設置された後、プリント回路基板２上で自立することができるように、電気的接続装置３に自立支持を提供するように構成されるが、これに限定されない。図４Ａおよび５に図示されるように、いくつかの実施形態において、２つの支持要素３１２は、それぞれ、対応するコーム要素３１１の２つの最外フィンガ部分３１１２の端部分３１１２１から延在する。支持要素３１２は、対応する第２の縁部３２２２から対応する第１の縁部３２２１への方向に、延在する。図５により明確に見られるように、支持要素３１２は、コーム要素３１１の１つの側面から、アーム部分３２４の大部分および電気的接続要素３２の接触部３２１が位置されるもう１つの側面（例えば、アーム部分３２４の脇）へ、コーム要素３１１を越えて延在し、このような位置で、電気的接続要素３２の接触部３２１が傾斜することを防ぐための追加の支持を提供する。支持要素３１２は、コーム要素３１１を越えて延在するため、本体部分３１１１およびフィンガ部分３１１２は、支持要素３１２の間に延在する領域の上にある。いくつかの実施形態において、２つの支持要素３１２は、コーム要素３１１の１つの側面のみにおいて、延在してもよい。
【００２２】
図２に示されるように、いくつかの実施形態において、電気的接続要素３２のベース部分３２２および支持要素３１２は、平面に隣接して形成されてもよい。このようにして、電気的接続装置３が、プリント回路基板２上に設置される際に、電気的接続要素３２のベース部分３２２および支持要素３１２が、同時にプリント回路基板２に接触し、自立支持を提供する。
【００２３】
いくつかの実施形態において、少なくとも１つの電気的接続部材３０を備える電気的接続装置３は、取り外し可能な構成要素３１の２つの支持要素３１２を接続して、フレーム部分を形成するように構成される、プレート部材３３を、さらに備えることができる。
【００２４】
本実施形態において、図５に示されるように、電気的接続装置３は、２つの取り外し可能な構成要素３１に対応する、２つのプレート部材３３を備えることができる。各プレート部材３３は、対応する取り外し可能な構成要素３１の２つの支持要素３１２を接続して、フレーム部分を形成するように構成される。さらに、いくつかの実施形態において、プレート部材３３は、接続されている。いくつかの実施形態において、接続されたプレート部材３３は、ピックアンドプレース操作に使用可能な接続区分３４を形成する。
【００２５】
図６は、別の実施形態による、プリント回路基板２ａ上に載置可能な電気的接続装置３ａを描写する、概略斜視図である。図６に示されるように、電気的接続装置３ａは、図６においては、電気的接続要素３２ａが、湾曲したはんだ付け部３２２５を備えるベース部分３２２ａを備えることを除いて、図３に示される実施形態の電気的接続装置３と同様である。それに対応して、プリント回路基板２ａは、それぞれが、各湾曲したはんだ付け部３２２５を受容するように構成される、複数のめっきされたスルーホール２２を伴って形成される。電気的接続要素３２ａの湾曲したはんだ付け部３２２５を、対応するスルーホール２２にはんだ付けした後、取り外し可能な構成要素３１が取り外され、電気的接続要素３２ａが、プリント回路基板２ａ上に残る。
【００２６】
図７は、別の実施形態による、プリント回路基板２上に載置可能な電気的接続装置３ｂを描写する、概略斜視図である。図７に示されるように、電気的接続装置３ｂは、図３に示される実施形態の電気的接続装置３に類似である。２つの間の相違点は、図７においては、電気的接続装置３ｂは、プレート部材３３を備えないことである。したがって、電気的接続装置３ｂは、２つの異なる電気的接続部材３０を備える。
【００２７】
図８は、別の実施形態による、電気的接続装置３ｃを描写する、概略斜視図である。図８に示されるように、電気的接続装置３ｃは、２つの電気的接続部材３０ａを備える。電気的接続部材３０ａは、図８においては、１つの電気的接続部材３０ａの取り外し可能な構成要素３１ａの支持要素３１２ａのそれぞれが、もう１つの電気的接続部材３０ａの取り外し可能な構成要素３１ａの対応する支持要素３１２ａに、十分に延在し、それに接続することができることを除いて、図７に示される実施形態の電気的接続装置３ｂの電気的接続部材３０と同様である。
【００２８】
図９は、別の実施形態による電気的接続装置３ｄを描写する、概略斜視図である。図９に示されるように、電気的接続装置３ｄおよび電気的接続装置３は、類似であり、いずれも、２つの電気的接続部材３０を備え、それぞれが、複数の電気的接続要素３２、ならびにコーム要素３１１および２つの支持要素３１２を備える取り外し可能な構成要素３１を備える。電気的接続装置３と３ｄとの間の相違点は、電気的接続装置３ｄは、たった１つのプレート部材３３ａを備え２つの取り外し可能な構成要素３１の２つの支持要素３１２がプレート部材３３ａに取り付けられることである。
【００２９】
図１０は、一実施形態による、底部載置型電気的接続装置５を描写する、概略斜視図である。図１１は、図１０の底部載置型電気的接続装置５の上面図である。図１２は、一実施形態による、プリント回路基板４の底面上に設置される、底部載置型電気的接続装置５を描写する概略斜視図であり、図１３は、一実施形態による、プリント回路基板４およびプリント回路基板４から切り離された底部載置型電気的接続装置５を図示する概略斜視図である。図１４は、一実施形態による、プリント回路基板４に取り付けられた複数の電気的接続部材５０を示す、概略上面図である。図１５は、図１４の線１−１に沿った断面図である。図１２および１３は、説明の目的で、電気的接続装置５が、上下逆に位置され、プリント回路基板４が、裏返されている。図１０〜１３を参照して、電気的接続装置５は、限定されるものではないが、それぞれが、取り外し可能な構成要素５１および複数の電気的接続要素５２を備える、２つの電気的接続部材５０を備える。各電気的接続部材５０において、複数の電気的接続要素５２は、取り外し可能な構成要素５１に接続されており、その結果、電気的接続装置５をプリント回路基板４に設置するための組み立てプロセスは、より効率的であり得る。
【００３０】
いくつかの実施形態において、電気的接続装置５は、１つ以上の電気的接続部材５０を備えることができる。
【００３１】
図１０および１２を参照して、電気的接続部材５０は、電子装置とプリント回路基板４との間の電気的接続部として構成される。各電気的接続部材５０において、複数の電気的接続要素５２は、一列に配設されてもよい。各電気的接続要素５２は、ベース部分５２２、２つの延在部分５２５、２つの接続部分５２３、およびアーム部分５２４を備えることができる。具体的には、ベース部分５２２は、対向する第１および第２の縁部５２２１および５２２２を備えることができる。２つの延在部分５２５は、それぞれ、第１の縁部５２２１の２つの対向する端部から、またはそこに隣接して、延在する。２つの延在部分５２５は、図１２に最良に示されるように、上向きに湾曲している。２つの接続部分５２３は、２つの延在部分５２５の端部上にそれぞれ形成される。アーム部分５２４は、第１の縁部５２２１の対向する端部の間で、第１の縁部５２２１上の位置から延在する。アーム部分５２４は、図１０に最良に示されるように、上向きに、第２の縁部５２２２から第１の縁部５２２１への方向に沿って、延在する。アーム部分５２４は、図１０に最良に示されるように、上向きの接触面５２１１を備える接触部５２１を備えてもよい。いくつかの実施形態において、ベース部分５２２は、プリント回路基板４の底面上の対応する導体パッド４１への表面載置のはんだ接着のため、上向きのはんだ付け表面として構成される、上面を備えてもよい。
【００３２】
いくつかの実施形態において、延在部分５２５は、Ｌ字形のアーム部を備える。
【００３３】
図１２および１３を参照して、取り外し可能な構成要素５１は、コーム要素５１１および２つの支持要素５１２を備えることができる。コーム要素５１１は、本体部分５１１１および本体部分５１１１から延在する複数の平行なフィンガ部分５１１２を備えてもよい。各フィンガ部分５１１２は、湾曲しており、切断可能に構成され、それによって、取り外し可能な構成要素５１を、その対応する電気的接続要素５２から、電気的接続要素５２がはんだ付けされた後に切り離すことができる接続部において、各隣接する電気的接続要素５２の１つの接続部分５２３に接続する、端部分を備える。いくつかの実施形態において、接続部は、接続部が切断可能であるように、その強度を低減するために加工される。接続部は、少なくとも１つの切欠部または少なくとも１つの切断部を備えてもよい。いくつかの実施形態において、接続部は、少なくとも１つのＶ字形の溝を備えてもよい。
【００３４】
図１０〜１３に示されるように、２つの支持要素５１２は、それぞれ、第２の縁部５２２２から第１の縁部５２２１への方向に、コーム要素５１１の２つの最外フィンガ部分５１１２の端部分から延在する。２つの支持要素５１２は、追加の自立支持を提供するように構成される。いくつかの実施形態において、２つの支持要素５１２は、コーム要素５１１を越えて延在する（図１１）。具体的には、２つの支持要素５１２は、コーム要素５１１の１つの側面から、アーム部分５２４の大部分および電気的接続要素５２の接触部５２１が位置するもう１つの側面（例えば、アーム部分５２４の脇）へ延在してもよく、電気的接続要素５２の接触部５２１が傾斜することを防ぐための追加の支持を提供する。いくつかの実施形態において、２つの支持要素５１２は、コーム要素５１１の１つの側面のみにおいて、延在してもよい。
【００３５】
図１０に示されるように、いくつかの実施形態において、電気的接続要素５２のベース部分５２２は、平面上に延在してもよい。支持要素５１２は、平面に隣接して延在してもよい。このようにして、電気的接続装置５がプリント回路基板４上に設置される際、電気的接続要素５２のベース部分５２２および支持要素５１２は、プリント回路基板４に接触して、自立支持を提供する。
【００３６】
電気的接続装置５は、２つの取り外し可能な構成要素５１に対応する２つのプレート部材５３を備える。各プレート部材５３は、２つの支持要素５１２を接続して、フレーム部分を形成するように構成される。いくつかの実施形態において、２つのプレート部材５３は、図１１および１２に示されるように、接続されている。いくつかの実施形態において、接続されたプレート部材５３は、ピックアンドプレース操作に使用可能な接続区分５４を形成する。
【００３７】
いくつかの実施形態において、少なくとも１つの電気的接続部材５０を備える電気的接続装置５は、取り外し可能な構成要素５１の２つの支持要素５１２を接続して、フレーム部分を形成するように構成される、プレート部材５３をさらに備えてもよい。
【００３８】
図１０〜１５に示されるように、電気的接続要素５２は、プリント回路基板４の底面上の導体パッド４１に、はんだ付けされる。プリント回路基板４は、スルーホール４３を有するように構成され、導体パッド４１は、スルーホール４３の対向する側面上に配置される。電気的接続要素５２が、プリント回路基板４にはんだ付けされる際、プリント回路基板４は、まず、その底面を上向きにして設置される。次に、電気的接続装置５を裏返し、電気的接続要素５２のベース部分５２２のはんだ付け表面が、導体パッド４１上に残り、アーム部分５２４が、スルーホール４３を通って延在し、接触部５２１が、プリント回路基板４の上面を越えて突出する状態で、プリント回路基板４に設置する。続いて、はんだ付けプロセスを実行し、電気的接続要素５２のベース部分５２２を導体パッド４１にはんだ付けする。最後に、取り外し可能な構成要素５１を、弱められた接続部を切断することによって、電気的接続要素５２から切り離す。
【００３９】
図１６は、別の実施形態による、プリント回路基板４ａの下に載置可能な、底部載置型電気的接続装置５ａを描写する、概略斜視図であり、説明の目的で、電気的接続装置５ａが、上下逆に位置され、プリント回路基板４ａが、その底面が上を向いた状態で裏返されている。図１６に示されるように、電気的接続装置５ａは、電気的接続要素５２ａが、湾曲したはんだ付け部５２２５を備えるベース部分５２２ａを備えることを除いて、図１１に示される実施形態の電気的接続装置５と同様である。それに対応して、プリント回路基板４ａは、それぞれが、各湾曲したはんだ付け部５２２５を受容するように構成される、複数のめっきされたスルーホール４２を伴って形成される。同様に、電気的接続装置５ａは、電気的接続要素５２ａの湾曲したはんだ付け部５２２５が、対応するスルーホール４２内に延在する状態で、裏返されたプリント回路基板４ａの底面に設置される。電気的接続要素５２ａの湾曲したはんだ付け部５２２５をはんだ付けした後、取り外し可能な構成要素５１が取り外され、電気的接続要素５２ａが、プリント回路基板４ａ上に残る。
【００４０】
図１７は、別の実施形態による、プリント回路基板４の下に載置可能な、底部載置型電気的接続装置５ｂを描写する、概略斜視図であり、説明の目的で、電気的接続装置５ｂが、上下逆に位置され、プリント回路基板４が、その底面が上を向いた状態で裏返されている。図１７に示されるように、電気的接続装置５ｂは、図１０に示される実施形態の電気的接続装置５と類似である。電気的接続装置５と５ｂとの間の相違点は、電気的接続装置５ｂは、プレート部材５３を備えないことである。したがって、電気的接続装置５ｂは、２つの異なる電気的接続部材５０を備える。
【００４１】
図１８は、別の実施形態による、電気的接続装置５ｃを描写する、概略斜視図である。図１８に示されるように、電気的接続装置５ｃは、電気的接続部材５０ａを備える。電気的接続部材５０ａは、１つの電気的接続部材５０ａの各支持要素５１２ａが、もう１つの電気的接続部材５０ａの対応する支持要素５１２ａに、十分に延在し、それに接続することを除いて、図１７に示される実施形態の電気的接続装置５ｂの電気的接続部材５０と同様である。
【００４２】
図１９は、別の実施形態による、電気的接続装置５ｄを描写する、概略斜視図である。図１９に示されるように、電気的接続装置５ｄおよび電気的接続装置５は類似であり、いずれも、それぞれが、複数の電気的接続要素５２ならびにコーム要素５１１および２つの支持要素５１２を備える取り外し可能な構成要素５１を備える、２つの電気的接続部材５０を備える。電気的接続装置５と５ｄとの間の相違点は、電気的接続装置５ｄは、たった１つのプレート部材５３ａを備え、取り外し可能な構成要素５２の２つの支持要素５１２が、プレート部材５３ａに取り付けられることである。
【００４３】
実施形態は、２つの電子装置の間、例えば、電子カードとプリント回路基板との間の電気的接続のために構成される、複数の電気的接続要素を備える電気的接続部材から構成することができる、電気的接続装置を開示する。複数の電気的接続要素は、電気的接続要素をはんだ付けした後に、容易に複数の電気的接続要素から切り離すことができる、取り外し可能な構成要素と接続されるため、複数の電気的接続要素を、同時にプリント回路基板上に設置およびはんだ付けすることが可能である。したがって、組み立てプロセスは、所要時間がより短く、より効率的である。さらに、取り外し可能な構成要素は、複数の支持要素を備えることができる。いくつかの実施形態において、支持要素は、電気的接続装置が、プリント回路基板上に設置された後、自立することができるように、電気的接続装置に自立支持を提供するように構成される。
【００４４】
種々の修正および変形が、開示される実施形態になされてもよいことが、当業者には明らかであろう。本明細書および実施例は、例示のみとして見なされ、本開示の真の範囲は、以下の特許請求の範囲およびそれらの均等物によって示されることが意図される。
【図１】
0005507658.tif 000002
【図２】
0005507658.tif 000003
【図３】
0005507658.tif 000004
【図４Ａ】
0005507658.tif 000005
【図４Ｂ】
0005507658.tif 000006
【図５】
0005507658.tif 000007
【図６】
0005507658.tif 000008
【図７】
0005507658.tif 000009
【図８】
0005507658.tif 000010
【図９】
0005507658.tif 000011
【図１０】
0005507658.tif 000012
【図１１】
0005507658.tif 000013
【図１２】
0005507658.tif 000014
【図１３】
0005507658.tif 000015
【図１４】
0005507658.tif 000016
【図１５】
0005507658.tif 000017
【図１６】
0005507658.tif 000018
【図１７】
0005507658.tif 000019
【図１８】
0005507658.tif 000020
【図１９】
0005507658.tif 000021